(57)【要約】【課題】エアコン置台などのように設置面に対するレベル調整のために使用される、スライド式にレベル調整可能とした簡易式のアジャスタに係り、被取付部材を支持する垂直壁部の剛性及び強度を向上させたアジャスタ及びこれを用いたエアコン置台を提供すること。【解決手段】本発明に係るアジャスタ７０は、設置面に載置される方形状の水平壁部７２、水平壁部７２の対向する２辺における一端側から所定寸法の壁面幅で被取付部材を挟み込むように立ち上げられた一対の対向する垂直壁部７３とを有する。また、対向する垂直壁部７３には高さ方向に長い締結部材貫通用の長孔７３ａが形成されるとともに、水平壁部７２にはアンカーボルト貫通用のボルト孔７２ａが形成されている。また、垂直壁部７３の長孔７３ａから締結部材、例えば六角穴付きボルト７１が挿通されて、被取付部材としての支柱１０を固定している。【選択図】図３
2009168287.tif 000002
【特許請求の範囲】
【請求項１】
設置面に載置される方形状の水平壁部と、水平壁部の対向する２辺における一端側から所定寸法の壁面幅で被取付部材を挟み込むように立ち上げられた一対の対向する垂直壁部と、この対向する垂直壁部において高さ方向に長く形成された締結部材貫通用の長孔と、水平壁部に形成されたアンカーボルト貫通用のボルト孔と、前記長孔に挿通される締結部材とを有することを特徴とするアジャスタ。
【請求項２】
前記垂直壁部は、上端が水平壁部の前記一端側から被取付部材の垂直壁部の壁面方向の略幅寸法に達する壁面幅に形成されるとともに、下端が上端より長い壁面幅に形成され、さらに、前記垂直壁部の上端から下端に向かう端面が斜面を成すように形成され、
前記水平壁部は、前記垂直壁部の下端の壁面幅より大きく形成され、
前記ボルト孔は、側方から見て水平壁部における垂直壁部の下端位置付近に位置するように形成されている
ことを特徴とする請求項１記載のアジャスタ。
【請求項３】
前記水平壁部は、下面に垂直壁部の壁面に平行な方向に延びる複数のリブが形成されていることを特徴とする請求項２記載のアジャスタ。
【請求項４】
請求項１〜３の何れか１項に記載のアジャスタは、前記対向する垂直壁部間の中心線に対し対称的な形状に形成されていることを特徴とするアジャスタ。
【請求項５】
請求項１〜４の何れか１項に記載のアジャスタは、前記水平壁部の壁面方向を押出方向としてアルミニウム又はアルミニウム合金が押出成形されて形成されていることを特徴とするアジャスタ。
【請求項６】
筒状の支柱と、支柱に取り付けられるコーナブラケットと、コーナブラケットに取り付けられる横フレーム及び縦フレームと、前記支柱の下端部に取り付けられる請求項１〜５の何れか１項に記載のアジャスタとを備えたエアコン置台であって、
前記支柱は、下端部の左右側壁にアジャスタ取付用の締結部材を挿通させる挿通孔が形成され、
前記アジャスタは、前記締結部材が前記長孔と前記挿通孔とに挿通されて固定されていることを特徴とするエアコン置台。
【請求項７】
前記アジャスタは、前記ボルト孔が前記支柱の前後方向の内側に配置されるように取り付けられていることを特徴とする請求項６記載のエアコン置台。
【請求項８】
前記支柱の内部には、締結部材を貫通させる部分に支柱スペーサが取り付けられていることを特徴とする請求項６又は７記載のエアコン置台。
【請求項９】
前記支柱、コーナブラケット、横フレーム、縦フレーム及びアジャスタは、アルミニウム又はアルミニウム合金製の押出成型された型材から形成され、基本形状が押出方向に同一断面形状となるように形成されていることを特徴とする請求項６〜８の何れか１項に記載のエアコン置台。
【発明の詳細な説明】
【技術分野】
【０００１】
本発明は、装置を水平に支持するために各種装置の脚部などに取り付けられるレベル調整用のアジャスタに関し、特に、アジャスタが取り付けられる取付対象装置、例えばエアコン置台を手で持ってスライド式に上下動させながらレベル調整可能とした簡易方式のアジャスタに関する。また、本発明は、このようなアジャスタを用いたエアコン置台に関する。
【背景技術】
【０００２】
取付対象装置に取り付けられるレベル調整用のアジャスタの一例としては、特許文献１に記載のエアコン置台に取り付けられたアジャスタがある。このアジャスタは、レベル調整用のねじ部を形成したシャフトを備え、このシャフトを回転させることによりねじ部と装置との係合部を上下動させて設置面に対するレベルを調整するものである。また、特許文献１に記載のものは、シャフトの下端部を突状球面状の座部とし、この突状球面状の座部がフットに設けられている凹状球面状の支持面で支承されるように構成されている。したがって、特許文献１に記載のものは、設置面の傾斜に対応してアジャスタの取付角度を調整することができ、フットを傾斜する設置面に密着させながら取付対象装置を水平に支持可能とすることができるものである。
【０００３】
上記のように特許文献１に記載のものは、傾斜する設置面に対し装置類を安定的に支持できるので機能的には問題がない。しかし、球面状の座部や球面状の支持面を必要とするため、加工が複雑となり高価となっていた。このため、低コスト化が要望されていた。
【０００４】
このような状況下、家庭用エアコンを支持するエアコン置台に用いられるアジャスタとしては、エアコン置台を作業者が手で持ち上げることにより、スライド式にレベル調整可能とする安価な簡易方式のアジャスタが多用されている。
【０００５】
その一例として、特許文献２に記載されたものがある。その具体例を図８に示す。図８は、四隅に支柱を立設した家庭用エアコン用のエアコン置台において、正面から見て左後の支柱の下方部分に用いられているアジャスタを示す。図８（ａ）はその斜視図であり、（ｂ）はその正面図である。この図に示すように、支柱１０１の下部にアジャスタ１０２が取り付けられている。支柱１０１は、平断面Ｌ型のアングル型材から成り、高さ方向に延びるＬ型を成す２面には所定間隔で丸孔１０３が複数設けられている。
【０００６】
一方、アジャスタ１０２は、支柱１０１と同程度の幅寸法の平板をＬ型に折り曲げ、垂直壁部１０４と設置面に載置される水平壁部１０５とが形成されている。垂直壁部１０４はボルト１０６により支柱１０１に固定される。ボルト１０６の取付位置は、設置面のレベル調整可能とするために、垂直壁部１０４にボルト貫通用の上下方向に長い長孔１０７が形成されている。さらに、水平壁部１０５には、アジャスタ１０２を設置面に固定するためのアンカーボルト貫通用の貫通孔１０８が形成されている。
【０００７】
アジャスタ１０２の取付は、支柱１０１に形成された丸孔１０３と垂直壁部１０４の長孔１０７とを対向させてボルト１０６を締結することにより行われている。したがって、このアジャスタ１０２では、ボルト１０６による締結を緩めた状態で作業者が手で置台を持ち上げて、アジャスタ１０２に対し置台を上下方向にスライドさせることにより、長孔１０７の寸法内で支柱１０１をレベル調整することができる。また、このボルト１０６を中心にしてボルト１０６の軸芯に垂直の方向の面内における垂直壁部１０４の取付角度を変更することができる。
【特許文献１】特開２００６−１１８５７０号公報
【特許文献２】特開２００６−１７４３９号公報
【発明の開示】
【発明が解決しようとする課題】
【０００８】
このように、特許文献２に示した簡易なスライド式のアジャスタ１０２は、簡略な構造により安価に製作できる利点を有する。しかしながら、支柱１０１と同程度の幅寸法の平板をＬ型に折り曲げた構造であるため、材料や板圧によっては被取付部材である支柱に固定される垂直壁部１０４の強度が弱くなるという恐れがあった。すなわち、被取付部材である支柱１０１は、一面でのみ垂直壁部１０４に固定されている。このため、垂直壁部１０４の面と直交する方向の力を受けると支柱１０１が傾斜し、これにより垂直壁部１０４の水平壁部１０５に対する角度が変化したり、ボルト１０６を貫通させる長孔１０７周りに作用する力が大きくなって、長孔１０７周りが破損したり、変形したりする恐れがあった。特に、最近のように材料の軽量化及び外観向上のためにアルミニウム又はアルミニウム合金製の型材が使用される場合には、垂直壁部１０４と水平壁部１０５との連結部が変形したり、長孔１０７周りの面部が変形したり破損したりする恐れがあった。
【０００９】
本発明は、このような背景に基づきなされたものであって、その目的は、エアコン置台などのように設置面に対するレベル調整のために使用される、スライド式にレベル調整可能とした簡易式のアジャスタに係り、被取付部材を支持する垂直壁部の剛性及び強度を向上させたアジャスタを提供することにある。また、このアジャスタを使用したエアコン置台を提供することにある。
【課題を解決するための手段】
【００１０】
本発明に係るアジャスタは、このような課題を解決するものであって、設置面に載置される方形状の水平壁部と、水平壁部の対向する２辺における一端側から所定寸法の壁面幅で被取付部材を挟み込むように立ち上げられた一対の対向する垂直壁部と、この対向する垂直壁部において高さ方向に長く形成された締結部材貫通用の長孔と、水平壁部に形成されたアンカーボルト貫通用のボルト孔と、前記長孔に挿通される締結部材とを有することを特徴とする。
【００１１】
このような構成上の特徴を備えた本発明に係るアジャスタによれば、一対の対向する垂直壁部間に被取付部材の下端部を挟み込み、この被取付部材を介して前記一対の対向する垂直壁部の長孔間に締結部材を挿通して締め付けることにより、被取付部材の下端部にアジャスタを取り付けることができる。また、ボルト等の締結部材を中心にして締結部材の軸心に垂直の方向の面内における垂直壁部の取付角度を変更することができる。また、垂直壁部が対向する二つの壁部に形成されているので、垂直壁部の剛性及び強度を向上させることができる。また、被取付部材が垂直壁部の面と直交する方向の力を受けたときに、垂直壁部が対向する２面の壁部に形成されているので、垂直壁部の剛性及び強度が強くなっているとともに、締結部材を貫通させる長孔周りに作用する力が緩和される。この結果、アジャスタとしてアルミニウム又はアルミニウム合金製の型材を使用した場合においても、垂直壁部の変形や、長孔周りの壁部の変形や破損を軽減することができる。
【００１２】
また、前記垂直壁部は、上端が水平壁部の前記一端側から被取付部材の垂直壁部の壁面方向の略幅寸法に達する壁面幅に形成されるとともに、下端が上端より長い壁面幅に形成され、さらに、前記垂直壁部の上端から下端に向かう端面が斜面を成すように形成され、前記水平壁部は、前記垂直壁部の下端の壁面幅より大きく形成され、前記ボルト孔は、側方から見て水平壁部における垂直壁部の下端位置付近に位置するように形成されているように構成されているようにしてもよい。このように構成すれば、アンカーボルトに対しナットを締結する場合にスパナなどの工具掛けに支障をきたさない範囲で垂直壁部を形成することができる。
【００１３】
また、前記水平壁部は、下面に垂直壁部の壁面に平行な方向に延びる複数のリブが形成されていることが好ましい。水平壁部にはボルト孔を中心として曲げモーメントが作用し、水平壁部が変形する恐れがある。しかしながら、上記のように構成することにより、水平壁部の曲げに対する強度を向上させることができる。
【００１４】
また、前記水平壁部は、下面に垂直壁部の壁面に平行な方向に延びる複数のリブが形成されていることが好ましい。水平壁部にはボルト孔を中心として曲げモーメントが作用する。しかしながら、上記のように構成することにより、水平壁部の曲げに対する強度を向上させることができる。
【００１５】
また、上記アジャスタは、前記対向する垂直壁部間の中心線に対し対称的な形状に形成されていることが好ましい。このようにすると、例えば、エアコン置台などの４隅の支柱に対し同一物を使用することができる。
【００１６】
また、上記アジャスタは、前記水平壁部の壁面方向を押出方向としてアルミニウム又はアルミニウム合金が押出成形されて形成されていることが好ましい。このようにすると、アジャスタを軽量化するとともに、アジャスタの見栄えを向上させることができる。
【００１７】
また、本発明に係るエアコン置台は、筒状の支柱と、支柱に取り付けられるコーナブラケットと、コーナブラケットに取り付けられる横フレーム及び縦フレームと、前記支柱の下端部に取り付けられた前記アジャスタとを備えたエアコン置台であって、前記支柱は、下端部の左右側壁にアジャスタ取付用の締結部材を挿通させる挿通孔が形成され、前記アジャスタは、前記締結部材が前記長孔と前記挿通孔とに挿通されて固定されていることを特徴とする。このように構成することにより、四隅に立設される支柱の下部に対し、強度の大きい簡易なアジャスタを取り付けることができるとともに、アジャスタのコストを軽減することができる。
【００１８】
また、このように構成されたエアコン置台において、前記アジャスタは、前記ボルト孔が前記支柱の前後方向の内側に配置されるように取り付けられていることが好ましい。このように構成すると、四隅の支柱で囲まれる範囲の外側でアンカーボルトを取り付ける必要がなくなるので、据付スペースを狭小化することができるとともに、エアコン置台の見栄えを向上させることができる。
【００１９】
また、このようにアジャスタが取り付けられる筒状の支柱の内部には、締結部材を貫通させる部分に支柱スペーサが取り付けられていることが好ましい。このようにすると、支柱の剛性及び強度が向上するので、エアコン置台の剛性及び強度が向上する。
【００２０】
また、前記支柱、コーナブラケット、横フレーム、縦フレーム及びアジャスタは、アルミニウム又はアルミニウム合金製の押出成型された型材から形成され、基本形状が押出方向に同一断面形状となるように形成されていることが好ましい。このように構成することにより、コスト軽減及び軽量化を図るとともに外観の見栄えを向上させることができる。
【発明の効果】
【００２１】
本発明に係るアジャスタによれば、一対の対向する垂直壁部間に被取付部材の下端部を挟み込んで、被取付部材の下端部にアジャスタを取り付けることができる。また、ボルト等の締結部材を中心にして締結部材の軸心に垂直の方向の面内における垂直壁部の取付角度を変更することができる。また、垂直壁部が対向する二つの壁部に形成されているので、垂直壁部の剛性及び強度を向上させることができる。また、垂直壁部の面と直交する方向の力に対し垂直壁部の剛性及び強度向上させるとともに、締結部材を貫通させる長孔周りに作用する力が緩和される。この結果、アジャスタとしてアルミニウム又はアルミニウム合金製の型材を使用した場合においても、垂直壁部の変形や、長孔周りの壁部変形や破損を軽減することができる。また、このようなアジャスタを用いたエアコン置台によれば、強度の大きい簡易なアジャスタを取り付けることができるとともに、アジャスタのコストを軽減することができる。
【発明を実施するための最良の形態】
【００２２】
以下、本発明を具体化した実施の形態に係るアジャスタ及びこのアジャスタを支柱の下部に取り付けたエアコン置台について図面を参照しながら説明する。なお、本明細書において左右、手前などの方向をいうときは、図１に示したエアコン置台における斜め左前を正面とした方向をいうものとする。
【００２３】
このエアコン置台は、図１の斜視図に示すように、平置台であって、四隅に立設された４本の支柱１０に対しコーナブラケット２０が取り付けられ、このコーナブラケット２０に対し前後一対の長尺の横フレーム４０と左右一対の短尺の縦フレーム５０とが組み付けられている。また、前後一対の横フレーム４０間にはエアコンを載置するための一対のベースフレーム６０が所定の間隔で平行に配置されて架け渡されている。また、支柱１０の下部には設置面の状況に応じてエアコン置台を水平に維持するためのアジャスタ７０が取り付けられている。
【００２４】
支柱１０は、図２に示すように略方形筒断面形状に形成されている。より詳しくは、図２に図示するように、外側の二つの壁部１１，１２の交差する角部は所定半径の円弧からなる曲面状の壁部１３に形成され、また、内側の二つの壁部１４，１５の交差する角部は、角部を斜めにカットする平面状の壁部１６に形成されている。また、支柱１０の左右方向の外側面を成す壁部１１には、図１に示すように、コーナブラケット２０の取り付け位置を位置決めするためのタッピングねじ１７用の下孔１１ａが適宜に設定された一定の間隔で複数個形成されている。また、支柱１０の下方部の壁部１１，１２，１４，１５には、図３に示すように、アジャスタ７０を取り付けるための十字穴付六角ボルト７１を左右方向に挿通させるための挿通孔１８がそれぞれ形成されている。挿通孔１８は、支柱１０の左右の壁部１１，１４のみならず前後の壁部１２，１５にも形成されているが、このように挿通孔１８を前後左右の壁部１１，１２，１４，１５に形成するのは、挿通孔１８に関して左右前後の支柱１０を共通化するためである。
【００２５】
なお、タッピングねじ１７用の下孔１１ａは、外観上の見栄えを考慮するとともに、コーナブラケット２０の取り付け方向を間違えることがないようにするために、支柱１０の左右方向の外側面をなす壁部１１にのみに形成されている。したがって、支柱１０は、タッピングねじ１７用の下孔１１ａが形成される壁部１１と曲面状の壁部１３との位置関係により、手前側の左右の支柱１０が左右対称的な構成であり、左右に立設される前後の支柱１０が前後対称的な構成とされている。この結果、右前の支柱１０と左後の支柱１０とが同一物であり、左前の支柱１０と右後の支柱１０とが同一物となっている。また、支柱１０は、長手方向（高さ方向）を押出方向とし、基本形状が押出方向に同一断面形状であるアルミニウム又はアルミニウム合金製の型材を使用するものであって、長手方向の断面形状は基本的に同一に形成されている。
【００２６】
また、支柱１０において、十字穴付六角ボルト７１を挿通する内部には、図３、図４及び図５に示すように、十字穴付六角ボルト７１の締結時に支柱１０が変形することを防止するための支柱スペーサ１９が挿入されている。支柱スペーサ１９の平面形状は、支柱１０の内部断面形状と略同形に形成されている。ただし、支柱１０の壁部１１と壁部１５との直交角部及び壁部１２と壁部１４との直交角部に対応するコーナ部は、カットされていている。また、このような形状を有する支柱スペーサ１９には、左右方向及び前後方向に十字穴付六角ボルト７１を挿通するための貫通孔１９ａ，１９ｂが十文字状に形成されている。例えば、右前の支柱１０では、図３に図示のように十字穴付六角ボルト７１を貫通孔１９ａに挿通させるように支柱スペーサ１９が挿入され、左前の支柱１０では、十字穴付六角ボルト７１を貫通孔１９ｂに挿通させるように支柱スペーサ１９が支柱１０内に挿入される。また、これら貫通孔１９ａ，１９ｂが交差する部分には垂直方向に孔１９ｃが形成されているが、これは重量軽減のために設けられたものである。
【００２７】
コーナブラケット２０は、図６に示すように、支柱１０より厚肉の部材に形成されたものであって、支柱１０をスライド自在に挿入する所定高さの環状壁部２０Ａを基部としている。この環状壁部２０Ａは、内面の断面形状が支柱１０の外面の断面形状に略一致するように形成されている。すなわち、環状壁部２０Ａは、外側の二つの壁部２１，２２、二つの壁部２１，２２が交差する位置に形成された所定半径の円弧からなる曲面状の壁部２３、内側の二つの壁部２４，２５、内側の二つの壁部２４，２５が交差する位置に形成された平面状の壁部２６を備えている。そして、前後方向の内側の壁部２５には、高さ方向の所定幅のスリットを有するスリット部２７が形成され、スリット部２７には、環状壁部２０Ａの壁面からスリット間隔を維持して略直交状に突出する一対の対向する締結片２８が形成されている。また、締結片２８の高さ方向中心位置には、図２に示すように、締結部材としてのボルト２９を締結片２８間に架け渡すようにするためのボルト孔２８ａが１個形成されている。
【００２８】
コーナブラケット２０は、図２及び図６に示すように、ボルト２９に座金２９ａ，２９ｂを介してナット２９ｃを締結することにより、締結片２８間の間隔を狭めるように環状壁部２０Ａが締め付けられる。そして、このように環状壁部２０Ａが締め付けられることにより、環状壁部２０Ａの内面と支柱１０の外周面との間に摩擦力と弾性力が作用して、コーナブラケット２０が支柱１０に取り付けられる。
【００２９】
なお、一対の対向する締結片２８は、後述する縦フレーム５０を取り付けるための支持部を兼ねている。また、この締結片２８間の間隔を狭めるように締結されるボルト２９は、後述するように縦フレーム５０の側壁５２を共締めすように締結される。
【００３０】
また、環状壁部２０Ａにおける左右方向外側の壁部２１の高さ方向中心位置には、位置決め用のタッピングねじ１７用の貫通孔２１ａが形成されている。したがって、上記のようにボルト２９により環状壁部２０Ａを締め付ける前に、貫通孔２１ａを通してタッピングねじ１７を支柱１０の下孔１１ａにねじ込むことによりコーナブラケット２０を仮止めできる。また、この下孔１１ａの位置を選択することにより、コーナブラケット２０の取付高さ位置を設定することができる。
【００３１】
一方、環状壁部２０Ａにおける左右方向内側の壁部２４には、図２及び図６に示すように、左右内向きに突出する横フレーム取付用の支持部３１が形成されている。この支持部３１は、環状壁部２０Ａの壁面から突出する所定高さで所定間隔に形成された一対の対向壁３２とこの対向壁３２の先端部を連結する連結壁３３とにより平面視ループ状に形成されている。また、支持部３１は、図６(ａ)に示すように、前後方向の外形寸法、すなわち、対向壁３２の外側面間の寸法が後述する横フレーム４０における筒状部４１の内側の幅寸法と略同一に形成され、さらに、その高さ寸法が、図６(ｂ)に示すように、横フレーム４０における筒状部４１の高さ寸法と略同一に形成されている。また、一対の対向壁３２の高さ方向中心位置には、図６（ａ）及び（ｂ）に示すように、横フレーム４０をリベット４４で取り付けるための２個のリベット孔３４がそれぞれに形成されている。上記のように、支持部３１は、連結壁３３によりループ状にするとともに、対向壁３２の外側面間の寸法を横フレーム４０における筒状部４１の内側の幅寸法と略同一とすることにより、支持部３１の先端部が筒状部４１の上下の壁部に接触する面積を大きくしている。
【００３２】
また、連結壁３３には、図６（ａ）に示すように、連結壁３３の表面から横方向に突出するように、上下方向のタッピングねじ螺合用の溝部３５が形成されている。また、支持部３１における一対の対向壁３２間には、対向壁３２間のスペースを埋めるスペーサ３６が配設されている。スペーサ３６は、図２に示すように、正面視瓢箪形であって、対向壁３２間の間隔寸法と略同一の厚さのものであり、前述のリベット孔３４と対向する位置に、リベット４４を貫通させるための貫通孔３７，３８が形成されている。なお、貫通孔３７，３８の端部は、図６(ａ)に示すように、リベット４４を挿入し易いようにテーパ状に形成されているとともに、横方向内側の貫通孔３７は半穴状に形成されている。また、このスペーサ３６は、前後方向及び上下方向に対称的に形成されており、四隅に取り付けられるスペーサ３６を同一物としている。また、スペーサ３６の前後面における略中央部には、正面視略四角形の係合突部３９が形成されている。そして、これに対応するように、対向壁３２には係合突部３９を係合させる係合孔３２ａが設けられている（図６(ａ)参照）。これにより、スペーサ３６を容易に、かつ正確に対向壁３２間に取り付けることができる。また、スペーサ３６を対向壁３２間に介在させることにより、支持部３１及び横フレーム４０の変形を回避しながらリベット４４により横フレーム４０と支持部３１とを結合することができる。
【００３３】
コーナブラケット２０は、上記のように構成されるものであって上下対称的に形成されている。したがって、このように形成されたコーナブラケット２０は、上下方向を適宜選択することにより四隅の支柱１０に対し同一のものを使用することができる。また、コーナブラケット２０は、長手方向、すなわち高さ方向を押出方向とし、基本形状が押出方向に同一断面形状であるアルミニウム又はアルミニウム合金製の型材を使用するものであって、高さ方向の断面形状は基本的に同一に形成されている。
【００３４】
次に、横フレーム４０は、図２に示すように、方形筒断面形状の筒状部４１と、その上部に形成されたベースフレーム取付用のボルト保持用の溝部４２とから形成されている。筒状部４１は、前述のように、内側の高さ方向の寸法がコーナブラケット２０の支持部３１の高さ、すなわち対向壁３２の高さに略同一に形成され、内側の前後方向の寸法が支持部３１の前後方向の外形寸法、すなわち、対向壁３２の外側面間の寸法に略同一に形成されている。これにより、この筒状部４１内に支持部３１が嵌入されるように形成されている。
【００３５】
また、横フレーム４０は、その端部に支持部３１が挿入されたときに、リベット４４により横フレーム４０を取り付けることができるように、筒状部４１の前後の壁部にリベット孔３４と対向する位置にリベット孔４５がそれぞれ形成されている。なお、リベット孔４５は、横フレーム４０の端面がコーナブラケット２０の環状壁部２０Ａの外周面に当接するように位置が設定されている。また、この状態において前述の溝部３５に対しタッピングねじ４７をねじ込んで壁部４６をコーナブラケット２０に固定することができるように、筒状部４１の下面を成す壁部４６にはタッピングねじ４７用の貫通孔４８が形成されている（図６（ｂ）参照）。また、この貫通孔４８の側方には、水抜き孔４９が形成されている。
【００３６】
溝部４２は、図２に示すように、方形筒断面形状を成し、上面にはスリット４３が形成されている。ベースフレーム６０を取り付けるためのボルト６１は、ねじ部６１ａがスリット４３から上方に突出するようにして、その頭部６１ｂが方形筒内部に挿入されている。なお、この溝部４２の端部においては、ボルト６１の挿入を容易にするために、上面に切欠４２ａが設けられている。
【００３７】
上記構成の横フレーム４０は、左右対称的、かつ前後対称的に形成されている。したがって、前後の横フレーム４０は、同一物とすることができる。また、横フレーム４０は、長手方向（左右方向）を押出方向とし、基本形状が押出方向に同一断面形状であるアルミニウム又はアルミニウム合金製の型材を使用するものであるが、前述の切欠４２ａは、押出成型後にプレス加工されたものである。
【００３８】
縦フレーム５０は、上壁５１、側壁５２及び下壁５３からなるコの字型に形成されるとともに、側壁５２の端部には前述の締結片２８締付用のボルト２９を貫通させるためのボルト孔５２ａが形成されている。このボルト孔５２ａは、縦フレーム５０の端面がコーナブラケット２０の環状壁部２０Ａの外周面に当接するように位置が設定されている。そして、縦フレーム５０は、側壁５２の内面が締結片２８の外面に当接され、さらに、側壁５２が締結片２８を締め付けるための締結部材としてのボルト２９により共締めされて固定されている。
【００３９】
上記のように構成される縦フレーム５０は、前後対称的に構成されているので左右の縦フレーム５０は、同一物でよい。また、縦フレーム５０は、長手方向（前後方向）を押出方向とし、基本形状が押出方向に同一断面形状であるアルミニウム又はアルミニウム合金製の型材を使用するものであって、長手方向の断面形状は基本的に同一に形成されている。
【００４０】
ベースフレーム６０は、図１及び図２に示すように、方形筒断面形状を成し、上面を成す壁部６３に防振ゴム６４を長手方向の任意の位置に取り付け可能とするためのスリット６５が形成されている。防振ゴム６４についての詳細の記述は省略するが、スリット６５を介して上面を成す壁部６３を挟み込むように取り付けられている。なお、このベースフレーム６０の前後の端部における底壁６６には、横フレーム４０の溝部４２内に頭部６１ｂが挿入されているボルト６１のねじ部６１ａを貫通させるための貫通孔６６ａが形成されている。ベースフレーム６０は、この貫通孔６６ａにボルト６１のねじ部６１ａを貫通させ、上方から座金６１ｃを介してナット６２を締結することにより取り付けることができる。なお、エアコンの防振ゴム取付部の寸法に合わせて、ボルト６１の位置を変更してベースフレーム６０の位置及び間隔を変更することができる。また、防振ゴム６４の前後の位置もスリット６５により任意に移動することができる。なお、上面を成す壁部６３の端部は、上述のナット６２の締結を容易にするために切欠６３ａが形成されている。また、壁部６３の前後方向の中央部には、防振ゴム６４の下部を壁部６３の下方に挿入するための挿入穴６３ｂが形成されている。
【００４１】
また、ベースフレーム６０は、左右対称的、かつ前後対称的に形成されている。したがって、左右のベースフレーム６０は、同一物とすることができる。また、ベースフレーム６０は、長手方向（前後方向）を押出方向とし、基本形状が押出方向に同一断面形状であるアルミニウム又はアルミニウム合金製の型材を使用するものであるが、前述の切欠６３ａ、挿入穴６３ｂなどは、押出成型後にプレス加工されたものである。
【００４２】
アジャスタ７０は、図３〜図５に図示されるように、設置面に載置される方形状の水平壁部７２と、水平壁部７２の対向する２辺の一端側（図３において前側）には被取付部材である支柱１０を挟み込むように立ち上げられた一対の対向する垂直壁部７３とを備えている。垂直壁部７３は、上端が水平壁部７２の前端側から被取付部材の垂直壁部７３の壁面方向の略幅寸法に達する壁面幅に形成されるとともに、下端が上端より長い壁面幅に形成されている。換言すると、垂直壁部７３上端の前後方向の寸法は支柱の戦後方向の寸法と略同一に形成されている。また、水平壁部７２は、垂直壁部７３上端の前後方向の寸法より大きく形成されている。また、水平壁部７２には、側方から見て水平壁部７２における垂直壁部７３の下端位置付近に、換言すると、支柱１０の側方となる位置（図３では支柱の前後方向内側となる位置）にアンカーボルト９０（図５参照）を貫通させるためのボルト孔７２ａが形成されるとともに、下面に前後方向の複数のリブ７４が形成されている。また、垂直壁部７３には、十字穴付六角ボルト７１を貫通させるための長方形の長孔７３ａが形成されている。また、垂直壁部７３のボルト孔７２ａ側の端面７３ｂは、下端位置が側方から見て略ボルト孔７２ａの略中心位置Ｂ−Ｂ上に至る斜面に形成されている。
【００４３】
また、上記構成のアジャスタ７０は、ボルト孔７２ａが支柱１０前後方向の内側となるように、支柱１０の下端部を一対の対向する垂直壁部７３間に挟持する。そして、十字穴付六角ボルト７１を左右方向外側となる垂直壁部７３から、座金７１ａ、長孔７３ａ、支柱１０の挿通孔１８、支柱スペーサ１９の貫通孔１９ａ（又は１９ｂ）を介して左右方向内側に貫通させて、座金７１ｂを介してナット７１ｃが締結される。長孔７３ａは、十字穴付六角ボルト７１の貫通位置を調節することにより、アジャスタ７０の設置面のレベル変化に対応して支柱１０をレベル調整するものである。
【００４４】
上記構成のアジャスタ７０は、対向する垂直壁部７３間の中心線に対し対称的に、すなわち左右対称的に形成されている。したがって、四隅の支柱１０に取り付けられるアジャスタ７０は同一物とすることができる。また、アジャスタ７０は、長手方向（前後方向）を押出方向とし、押出方向には基本的に同一断面形状を成すアルミニウム又はアルミニウム合金製の型材を使用するものであるが、前述の斜行する端面７３ｂは、押出成型後に切削加工されたものである。
【００４５】
上記構成において、支柱１０の上部には、図２に示すように、支柱１０の上端面をカバーするための樹脂成型品であるキャップ８０が取り付けられている。キャップ８０は、支柱１０の内部に嵌入される嵌入部８１と、支柱１０の端面を覆う天面壁部８２とから構成されている。なお、嵌入部８１は、弾性的に縮小して支柱１０内に挿入され、弾性的に係合保持されるように複数の切込８１ａが形成されている。
【００４６】
上記のように構成されたエアコン置台は次のようにして組み付けされる。
先ず、エアコンのサイズに合うように所定寸法に形成された上記構成の支柱１０、コーナブラケット２０、横フレーム４０、縦フレーム５０、ベースフレーム６０、アジャスタ７０、その他ボルト等の締結部材を準備する。そして、支柱組合品、横フレーム組合品を作る。
【００４７】
支柱組合品は、支柱１０の下端にアジャスタ７０を取り付けたものである。この場合、右前の支柱組合品と左後の支柱組合品とは向きを代えて使用するだけで、物自体は同一となる。同様に、左前の支柱組合品と右後の支柱組合品とは向きを代えて使用すればよく、物自体は同一である。支柱１０は、図１に示すように、エアコン置台として組み付けされた状態において、左右の外側面を成す壁部１１にコーナブラケット２０の位置決めをするための位置決め用ねじ孔（この実施の形態ではタッピングねじ１７用の下孔１１ａ）が存在するとともに、四隅のコーナ部に円弧状の壁部１３が位置するように配設される。
【００４８】
また、支柱組合品は、図３に示すように、支柱１０の下端部に支柱スペーサ１９を挿入し、さらに、エアコン置台として組み付けされたときに図３に示すようにアジャスタ７０が前後方向内向きとなるように、支柱１０の下端部を一対の対向する垂直壁部７３間を挿入する。そして、十字穴付六角ボルト７１を、左右方向外側となる垂直壁部７３から座金７１ａ、長孔７３ａ、支柱１０の挿通孔１８、支柱スペーサ１９の貫通孔１９ａ又は１９ｂを介して挿入し、ナット７１ｃを締結することにより仮組み付けされる（図１参照）。なお、メーカ出荷段階においてこのように仮組みされたものを出荷するようにすれば、現地での作業工数を削減することができる。
【００４９】
一方、横フレーム組合品は、横フレーム４０の左右にコーナブラケット２０を取り付けたものである。この場合において、横フレーム４０は、前述のように左右対称的に構成されているので、前後の横フレーム４０は同一である。また、コーナブラケット２０も高さ方向に対称的に形成されているので、四隅の支柱１０に取り付けられるコーナブラケット２０は同一である。したがって、前後の横フレーム組合品は、同一物でよく、エアコン置台として組み付けを行うときに左右反転させればよい。この横フレーム組合品についても、組み付けされたものを出荷するようにすれば、現地での作業工数を削減することができる。
【００５０】
横フレーム４０の左右にコーナブラケット２０を取り付ける際は、図２に示すように、横フレーム４０の端部にコーナブラケット２０の支持部３１を挿入する。このとき左右のコーナブラケット２０は上下反転して挿入することにより、組み付けされたエアコン置台において両コーナブラケット２０の締結片２８がそれぞれ前後方向内向きとなるように挿入することができる。この組み付けにおいて、支持部３１の高さ寸法及び外側面間寸法は、横フレーム４０の筒状部４１の内側の高さ寸法及び前後方向寸法と略一致するように形成されている。また、支持部３１を挿入する際にはスペーサ３６を挿入するとともに、リベット４４を挿入して貫通孔３７，３８をリベット孔４５に位置合わせし、リベット止めする。さらに、横フレーム４０の端部に挿入された支持部３１に対し、下方のタッピングねじ４７用の貫通孔４８からタッピングねじ４７を挿入し、タッピングねじ螺合用の溝部３５に対しタッピングねじ４７をねじ込み最終的に固定する。
【００５１】
次に、上記のように組み付けされた四隅の支柱組付品を準備する。そして、図５に示すように、予め設置面に埋め込まれたアンカーボルト９０に対し、上記のように組み付けされた四隅の支柱組付品を取り付ける。この取付は、アジャスタ７０の水平壁部７２に形成されたボルト孔７２ａにアンカーボルト９０のねじ部を挿通し、座金９２を介しナット９１を締結する。なお、この取付は、横フレーム組付品及び縦フレーム５０を取り付けするときに最終的に固定することを念頭において仮締めされるものである。また、アジャスタ７０は、図５に示すように、垂直壁部７３の上端が支柱１０の前後幅寸法に略形成されるとともに、ボルト孔７２ａ側の垂直壁部７３の端面７３ｂは上端からボルト孔７２ａの左右方向から見た中心位置Ｂ−Ｂに向けて下る斜面に形成されている。したがって、図７に示すように、スパナ等の工具を用いてナット９１を締結するときに、垂直壁部７３が支障を来たさないように設定されている。
【００５２】
次に、上記のように取り付けられた支柱組付品に対し横フレーム組付品を取り付ける。この取り付けは、先ず横フレーム組付品の取付高さ位置を設定して位置決め用のタッピングねじ１７用の下孔１１ａを選定する。そして、横フレーム４０に取り付けられたコーナブラケット２０の基部を成す環状壁部２０Ａを支柱１０の上部から挿入し、選定された下孔１１ａに対し貫通孔２１ａを介しタッピングねじ１７をねじ込んで、横フレーム組付品を所定の高さ位置に仮止めする。次いで、前後の支柱１０に取り付けられたコーナブラケット２０の締結片２８に対し縦フレーム５０の側壁５２の内面を当接させた状態で、ボルト孔５２ａ、２８ａに対し座金２９ａを介してボルト２９を挿入し、縦フレーム５０の内側の方から座金２９ｂを介してナット２９ｃを締結する。これにより締結片２８のスリット間隔が狭められてコーナブラケット２０の環状壁部２０Ａが締め付けられるとともに、横フレーム組付品が支柱１０に固定され、さらに、締結片２８を支持部として縦フレーム５０が取り付けられる。
【００５３】
また、支柱組付品の所定高さ位置に横フレーム４０及び縦フレーム５０が取り付けられた後、前後の横フレーム４０間にベースフレーム６０が取り付けられる。ベースフレーム６０の左右の位置は、エアコンの防振ゴムの取付位置に対応して調節される。この調節は横フレーム４０の溝部４２内に取り付けられるボルト６１の位置をスライドさせて変更することにより調節することができる。また、ベースフレーム６０のスリット６５に取り付けられる防振ゴム６４の前後方向の位置も、スリット６５においてその位置を調節することができる。
【００５４】
以上のようにして組み立てられたエアコン置台は、最終段階において、ボルト孔７２ａに対するアンカーボルト９０の位置を調節するとともに、ナット９１をアンカーボルト９０に対し締め付けて、アジャスタ７０を設置面に固定する。また、アジャスタ７０における長孔７３ａを貫通する十字穴付六角ボルト７１の高さ方向の位置を調節することにより、設置面の状況に対応して支柱１０のレベル調整を行う。
【００５５】
以上のように構成された本実施の形態に係るアジャスタ７０によれば、次の効果を奏することができる。
（１）一対の対向する垂直壁部７３間に被取付部材としての支柱１０の下端部を挟み込み、この被取付部材を介して一対の対向する垂直壁部７３の長孔７３ａ間に締結部材としての十字穴付六角ボルト７１を挿通して締め付けることにより、被取付部材としての支柱１０の下端部にアジャスタ７０を取り付けることができる。また、この十字穴付六角ボルト７１を中心にして十字穴付六角ボルト７１の軸心に垂直の方向の面内における垂直壁部７３の取付角度を変更することができる。
【００５６】
（２）また、垂直壁部７３が対向する二つの壁部に形成されているので、垂直壁部７３の剛性及び強度を向上させることができる。また、被取付部材が垂直壁部７３の面と直交する方向の力を受けたときに、垂直壁部７３が対向する２面の壁部に形成されているので、垂直壁部７３の剛性及び強度が強くなっているとともに、締結部材としての十字穴付六角ボルト７１を貫通させる長孔７３ａ周りに作用する力が緩和される。この結果、アジャスタ７０としてアルミニウム又はアルミニウム合金製の型材を使用した場合においても、垂直壁部７３の変形や、長孔７３ａ周りの壁部の変形や破損を軽減することができる。
【００５７】
（３）垂直壁部７３は、ボルト孔７２ａ側の端面７３ｂが上端から下端に向って斜面を成すように形成されており、アンカーボルト９０に対しナット９１を締結する場合にスパナなどの工具掛けに支障を来たさないように配慮されている。
【００５８】
（４）水平壁部７２においては、横フレーム４０及び縦フレーム５０にエアコンが載置されているため、図５に示すように、水平壁部７２には被取付部材である支柱１０を介してボルト孔７２ａを中心とする曲げモーメントＭが作用する。しかしながら、水平壁部７２の下面には垂直壁部７３の壁面に平行な方向（すなわち前後方向）に延びる複数のリブ７４が形成されているので、水平壁部７２の曲げモーメントに対する強度を向上させることができる。
【００５９】
（５）アジャスタ７０は、対向する垂直壁部７３間の中心線に対し対称的な形状に形成されているので、例えば、エアコン置台などの４隅の支柱１０に対し同一物を使用することができる。
【００６０】
（６）アジャスタ７０は、水平壁部７２の壁面方向を押出方向としてアルミニウム又はアルミニウム合金が押出成形されて形成されている。したがって、アジャスタ７０を軽量化するとともに、アジャスタ７０の見栄えを向上させることができる。
【００６１】
また、本実施の形態に係るアジャスタ７０を用いたエアコン置台によれば、次のような効果を奏することができる。
（７）本発明に係るエアコン置台は、筒状の支柱１０と、支柱１０に取り付けられるコーナブラケット２０と、コーナブラケット２０に取り付けられる横フレーム４０及び縦フレーム５０とを備え、支柱１０の下端部には上記アジャスタ７０が取り付けられている。また、アジャスタ７０は、支柱１０の下端部の左右側壁に形成された挿通孔１８に対し垂直壁部７３の長孔７３ａから締結部材としての十字穴付六角ボルト７１が挿通されて固定されている。したがって、簡易な構造でありながら強度の大きいアジャスタ７０が取り付けられており、コスト軽減に対しても寄与することができる。
【００６２】
（８）アジャスタ７０は、アンカーボルト９０を貫通させるボルト孔７２ａが支柱１０の前後方向の内側に配置されるように取り付けられているので、四隅の支柱１０により囲まれる範囲の外側でアンカーボルト９０を取り付ける必要がない。したがって、据付スペースを狭小化することができるとともに、エアコン置台の見栄えを向上させることができる。
【００６３】
（９）アジャスタ７０が取り付けられる筒状の支柱１０の内部には、締結部材としての十字穴付六角ボルト７１を貫通させる部分に支柱スペーサ１９が取り付けられているので、支柱１０の剛性及び強度が向上し、エアコン置台の剛性及び強度が向上する。
【００６４】
（１０）また、支柱１０、コーナブラケット２０、横フレーム４０、縦フレーム５０及びアジャスタ７０は、アルミニウム又はアルミニウム合金製の押出成型された型材から形成され、基本形状が押出方向に同一断面形状となるように形成されているので、コスト軽減及び軽量化を図るとともに外観の見栄えを向上させることができる。
（変形例）
以上説明した本実施の形態に係るエアコン置台及びエアコン置台は、一例を示すものであり、本発明の範囲内において適宜変更できるものである。例えば、次のように変形することができる。
【００６５】
（１）上記実施の形態において、垂直壁部７３に形成される長孔７３ａは、長方形に形成されているが、長円形に形成されたものでもよい。また、この長孔７３ａから挿通される締結部材としては、十字穴付六角ボルト７１に代えて十字穴が設けられていない六角ボルトや十字穴付き丸小ねじなどの他のものとしてもよい。
【００６６】
（２）アンカーボルト９０の例として、図５では設置面に直接埋め込まれているものを示しているが、例えば据付部材としてのブロックに埋め込まれているものでもよい。
（３）上記実施の形態にかかるエアコン置台は、横フレーム４０及び縦フレーム５０は上方に１段設けられたものであったが、上下方向に複数段としたものでもよい。この場合、コーナブラケット２０、横フレーム４０、縦フレーム５０等の構成部材は同一のものを使用することができる。
【００６７】
（４）上記実施の形態においてエアコン置台は平地用のエアコン置台として組み付けされているが、コーナブラケット２０は支柱１０の高さ方向の任意に位置にスライドさせることができるので、前後左右の支柱１０の有効長さをそれぞれ異ならせることにより傾斜地用に適したエアコン置台とすることもできる。
【図面の簡単な説明】
【００６８】
【図１】本発明の実施形態に係るエアコン置台の斜視図である。
【図２】同エアコン置台における右前のコーナブラケット周りの分解斜視図である。
【図３】同エアコン置台における右前のアジャスタ周りの分解斜視図である。
【図４】同エアコン置台に用いられる支柱スペーサの斜視図である。
【図５】図３に図示したアジャスタ周りの側断面図である。
【図６】同エアコン置台における右前のコーナブラケット部の断面図であり、（ａ）は平断面図であり、（ｂ）は（ａ）におけるＡ−Ａ垂直断面図である。
【図７】同エアコン置台におけるアジャスタの斜視図である。
【図８】従来例に係るアジャスタの周りの図面であって、（ａ）は斜視図であり、（ｂ）は側面図である。
【符号の説明】
【００６９】
１０…支柱、１８…挿通孔、１９…支柱スペーサ、２０…コーナブラケット、４０…横フレーム、５０…縦フレーム、７０…アジャスタ、７１…（締結部材としての）十字穴付きボルト、７２…水平壁部、７２ａ…ボルト孔、７３…垂直壁部、７３ａ…長孔、７３ｂ…端面、７４…リブ、９０…アンカーボルト。
【図１】
2009168287.tif 000003
【図２】
2009168287.tif 000004
【図３】
2009168287.tif 000005
【図４】
2009168287.tif 000006
【図５】
2009168287.tif 000007
【図６】
2009168287.tif 000008
【図７】
2009168287.tif 000009
【図８】
2009168287.tif 000010